(57)【要約】      （修正有）【課題】使用者にとって情報の取得、表示が容易であると共に、当該情報の秘匿性を持ち、かつ、物品の美観を維持可能なＮＦＣタグ付き物品を提供する。【解決手段】ＮＦＣタグ２００を組み込んだ物品１００であって、ＮＦＣタグ２００内に物品１００に関連する情報を記憶し、携帯端末３００によって情報を取得及び表示可能な構成を採用する。また、物品１００に関連する情報は、所有者、人物、動物、地域、観光ガイド、由来、ＵＲＬ、地図、製品名、製造番号、製造年月日、購入年月日の少なくともいずれか１つの情報を含む構成を採用した。【選択図】図１
0003205249.tif 000002
【実用新案登録請求の範囲】
【請求項１】
ＮＦＣタグを組み込んだ物品であって、該ＮＦＣタグ内に該物品に関連する情報を記憶し、携帯端末によって該情報を取得及び表示可能であることを特徴とするＮＦＣタグ付き物品。
【請求項２】
前記携帯端末により前記情報を書き換え可能であることを特徴とする請求項１に記載のＮＦＣタグ付き物品。
【請求項３】
前記携帯端末はスマートフォンであることを特徴とする請求項１又は請求項２に記載のＮＦＣタグ付き物品
【請求項４】
前記情報は、前記物品に関連する所有者、人物、動物、地域、観光ガイド、由来、ＵＲＬ、地図、製品名、製造番号、製造年月日、購入年月日の少なくともいずれか１つの情報を含むことを特徴とする請求項１から請求項３のいずれかに記載のＮＦＣタグ付き物品。
【請求項５】
前記所有者についての情報は、名前、住所、電話番号、年齢、経歴、特徴、家系図、思い出、メッセージの少なくともいずれか１つの情報を含むことを特徴とする請求項４に記載のＮＦＣタグ付き物品。
【請求項６】
前記物品は、キーホルダー、フォトストラップ、土産品、有名人グッズ、財布、キーケース、かばん、ランドセル、バッグ、ブランド品、首輪、革製品、ネクタイ、制服、リストバンド、布製品、ネームプレート、番号札、ガイド札、ブローチ、バッヂ、ピンバッヂ、身飾品、指輪、お守り、傘、自転車、自動車、自動車の部品、絵画、彫刻、陶器、漆品、芸術品、工芸品、陶芸品、記念写真、遺影、写真立て、お墓、位牌、額縁、手形、３Ｄ手形、トロフィー、記念プレート、記念品、携帯電話、電化製品、チョコレート、飲食物、飲食物の包装、教材、展示施設における展示品のガイド板、石碑、灯篭、鳥居、仏像、観光案内板の少なくともいずれか１つであることを特徴とする請求項１から請求項５のいずれかに記載のＮＦＣタグ付き物品。
【請求項７】
前記物品の外観に、組み込まれた前記ＮＦＣタグの用途を示すマークが配置されていることを特徴とする請求項１から請求項６のいずれかに記載のＮＦＣタグ付き物品。
【考案の詳細な説明】
【技術分野】
【０００１】
本考案は、ＮＦＣ（Ｎｅａｒ ｆｉｅｌｄ ｃｏｍｍｕｎｉｃａｔｉｏｎ）タグ付き物品に関し、詳しくは、物品に埋め込まれたＮＦＣタグの情報を携帯端末で表示する技術に関する。
【背景技術】
【０００２】
従来より物品又は物品に関連した人物、動物等の情報を取得する方法が考えられている。単純な方法として、情報の記載された紙を取り出し可能に配置する方法がある。例えば、認知症患者の身に着けるネックレス等に小さなカプセルを取り付け、カプセル内に氏名、電話番号、住所、かかりつけの医療機関等を記載した紙を入れる方法がある。徘徊する患者を見つけた際、患者の情報を容易に得られるので便利である。しかし、このような方法は、悪意のある人にも容易に情報が取得されてしまうので、個人情報保護の観点からセキュリティー上問題であった。
【０００３】
また、他の方法として、ＱＲコード（登録商標）等の符号化マークを物品に貼り付ける方法が考えられている。ＱＲコード（登録商標）に、関連する団体の連絡先の情報や、ホームページのアドレス等の情報を入れる。スマホ等でＱＲコード（登録商標）を撮影、解析することで、連絡すべき団体の連絡先等が示され、利便性を高めることが出来る。しかし、ＱＲコード（登録商標）は、物品の外観に配置しなければならず、場合によっては美観を損ねることになる。また、情報が埋め込まれていることを明示してしまうので、秘匿性が低くなってしまう問題があった。
【０００４】
以上のような問題を解決するために、秘匿性を持ち、使用者にとって情報の取得、表示が容易であり、かつ、物品の美観を維持できる考案が求められていた。
【０００５】
このような問題に対して、従来からも様々な技術が提案されている。例えば、ウェアラブルな部品の取り扱い易さ向上と、持ち歩く小物の紛失防止のための技術（特許文献１参照）が提案され、公知技術となっている。より詳しくは、ボタンラップ（釦にかぶせて取り付け、身に着けるもの）を使用し、ＩＣタグなどを装備したボタンラップをボタンに被せ、持ち歩く小物とボタンラップを紐などで接続するものである。
しかしながら、この技術では、物品であるボタンを無線タグ付きのラップで覆うものであり、物品の美観を維持することが出来ない。また、無線タグ内の情報を容易に取得、表示する技術については記載されておらず、そのため上記問題の解決には至っていない。
【０００６】
また、占い結果を見るためにＮＦＣタグが封入されたお守りを、ＮＦＣ機能を搭載したインターネット端末にかざし、占い結果を得る技術（特許文献２参照）が提案され、公知技術となっている。より詳しくは、家族や友人同士等、グループで本占いシステムを利用するユーザが、ＮＦＣタグが封入されたお守りをＮＦＣ機能を搭載したインターネット端末にかざすと、自身の占い結果とともに、同一グループに属する他のユーザ毎の、占い結果及び閲覧状況を知ることができるものである。
この例では、物品であるお守りにタグを入れることで、物品の美観を維持しつつ、物品に関連する情報を活用することが記載されている。しかしながら、物品の情報を専用端末を介してネットワーク上で活用するものであり、ネットワークを介さず情報の取得、表示が容易に行う技術については記載されておらず、そのため上記問題の解決には至っていない。
【先行技術文献】
【特許文献】
【０００７】
【特許文献１】特開２００５−３３９４８４
【特許文献２】特開２０１５−１７９４１５
【考案の概要】
【考案が解決しようとする課題】
【０００８】
本考案は、上記問題点に鑑み、使用者にとって情報の取得、表示が容易であると共に、当該情報の秘匿性を持ち、かつ、物品の美観を維持可能なＮＦＣタグ付き物品を提供することを課題とする。
【課題を解決するための手段】
【０００９】
上記課題を解決するため、本考案は、ＮＦＣタグを組み込んだ物品であって、該ＮＦＣタグ内に該物品に関連する情報を記憶し、携帯端末によって該情報を取得及び表示可能である手段を採る。
【００１０】
また、本考案は、前記携帯端末により前記情報を書き換え可能である手段を採る。
【００１１】
さらに、本考案は、前記携帯端末がスマートフォンである手段を採る。
【００１２】
またさらに、本考案は、前記情報が、物品に関連する所有者、人物、動物、地域、観光ガイド、由来、ＵＲＬ、地図、製品名、製造番号、製造年月日、購入年月日の少なくともいずれか１つの情報を含む手段を採る。
【００１３】
さらにまた、本考案において、人物についての情報は、名前、住所、電話番号、年齢、経歴、特徴、家系図、思い出、メッセージの少なくともいずれか１つの情報を含む手段を採る。
【００１４】
そしてまた、本考案は、前記物品は、キーホルダー、フォトストラップ、土産品、有名人グッズ、財布、キーケース、かばん、ランドセル、バッグ、ブランド品、首輪、革製品、ネクタイ、制服、リストバンド、布製品、ネームプレート、番号札、ガイド札、ブローチ、バッヂ、ピンバッヂ、身飾品、指輪、お守り、傘、自転車、自動車、自動車の部品、絵画、彫刻、陶器、漆品、芸術品、工芸品、陶芸品、記念写真、遺影、写真立て、お墓、位牌、額縁、手形、３Ｄ手形、トロフィー、記念プレート、記念品、携帯電話、電化製品、チョコレート、飲食物、飲食物の包装、教材、展示施設における展示品のガイド板、石碑、灯篭、鳥居、仏像、観光案内板の少なくともいずれか１つである手段を採る。
【００１５】
さらにまた、本考案は、前記物品の外観に、組み込まれた前記ＮＦＣタグの用途を示すマークが配置されている手段を採る。
【考案の効果】
【００１６】
本考案に係るＮＦＣタグ付き物品によれば、情報が物品に組み込まれていることを明示することなく情報を取得できるので、情報の秘匿性と取得容易性を同時に実現できる、といった優れた効果を奏する。
【００１７】
また、本考案に係るＮＦＣタグ付き物品によれば、物品の外観、デザインに影響しない形をとることが出来るので、物品の美観の品位を維持することが出来るといった、優れた効果を発揮するものである。
【図面の簡単な説明】
【００１８】
【図１】本考案に係るＮＦＣタグ付き物品の実施形態を示す説明図、分解図、システム図である。
【図２】本考案に係るＮＦＣタグ付き物品の実施形態を示す説明図である。
【考案を実施するための形態】
【００１９】
本考案であるＮＦＣタグ付き物品は、秘匿性を持ち、使用者にとって情報の取得、表示が容易であり、かつ、物品の美観を維持できることを最大の特徴とする。
以下、本考案に係るＮＦＣタグ付き物品の実施形態を、図面に基づいて説明する。
【００２０】
なお、本考案に係るＮＦＣタグ付き物品は、以下に述べる実施形態に限定されるものではなく、本考案の技術的思想の範囲内、即ち、同一の作用効果を発揮できる形状や寸法等の範囲内で適宜変更することができるものである。
【実施例１】
【００２１】
図１に従って、本考案を説明する。図１（ａ）は、本考案の使用例を示す図である。図１（ｂ）は、ＮＦＣタグ付き物品の分解図の例である。図１（ｃ）は、本考案のシステムブロック図である。
ＮＦＣタグ付き物品１は、種々の物品に無線タグを埋め込んだものであり、物品１００とＮＦＣタグ２００から構成されている。
物品１００は、不動産の一部を含むあらゆる物を示し、基本的には動産一般のものが好適である。本考案では、その中でも特に使用者が容易に、持ち歩いたり、身につけたり、移動したりできる物を対象とするのが好適であるが、これに限定するものではない。
【００２２】
ＮＦＣタグ２００は、無線タグ（ＲＦタグ）の１つである。ＮＦＣは、Ｎｅａｒ Ｆｉｅｌｄ Ｃｏｍｍｕｎｉｃａｔｉｏｎの略称で、１３．５６ＭＨｚの周波数を利用する近距離無線通信技術である。非接触ＩＣカードの通信および機器間相互通信が可能で、機器を近づけることで通信を行うものである。
【００２３】
ＮＦＣタグとリーダーを接近させる必要があるので、混信等が発生しにくい。ＮＦＣタグの情報量は、チップサイズによって異なるが一般的なものは１３０バイト程度であり、外国語も入力できる。また、データの書き込み、修正が出来る。書き込みの禁止の設定、いわゆる入力ロックを行い再入力不可とすることもできる。寿命は半永久的である。サイズは、１５φ×０．５ｔ程度である。耐水性があり、使用温度は約−４０℃から１５０℃である。一般的なＮＦＣタグは金属部分への貼り付けはできないが、金属対応のＮＦＣタグもある。ＮＦＣタグとリーダーの通信距離は、１０ｍｍ程度である。
【００２４】
図１（ａ）のＮＦＣタグ付き物品１は、物品１００がフォトストラップであり、物品１００の内部にＮＦＣタグ２００を組み込んだものである。携帯端末３００をＮＦＣタグ付き物品１に接近させる。携帯端末３００には、ＮＦＣ通信機能があり、ＮＦＣ通信のためのアプリがインストールされている。ＮＦＣタグ付き物品１のＮＦＣタグ２００と携帯端末３００が通信し、携帯端末３００の表示部３４０にＮＦＣタグ２００に書き込まれている情報が表示される。例えば、フォトストラップが芸能人の写真を入れたものであれば、芸能人のプロフィールをＮＦＣタグ２００内に書き込み、携帯端末３００によって、芸能人のプロフィールを表示することによって、使用者は、その芸能人に対して、より親しみを感じることが出来る。
また、ＮＦＣタグ２００の有無によって物品の外観が変わらないことから、外観の品位を下げることがなく好適である。
さらに、ＮＦＣタグ２００の有無が外観からは判別できないので、秘匿性が高く、ＮＦＣタグ２００が埋め込まれていることを知る人のみが情報を取得できるので、第三者への無用な情報流出を防ぐことが出来る。
【００２５】
図１（ｂ）は、ＮＦＣタグ付き物品１の分解図の一例である。物品１００はフォトストラップである。全体の枠である台部１１０と写真等の印刷された絵柄付きシート１２０の間にＮＦＣタグ２００を組み込む。ＮＦＣタグ２００の大きさは直径１５ｍｍ、厚さ０．５ｍｍ程度であり、小さく薄いので問題なく組み込みことが出来る。透明蓋１３０で、ＮＦＣタグ２００、絵柄付きシート１２０を固定する。見た目は、一般的なフォトストラップと変わらないので、美観を低下させることがなく、好適である。ＮＦＣタグ２００は、台部１１０と絵柄付きシート１２０の間に、単に挿入してもいいし、台部１１０又は絵柄付きシート１２０に接着してもよい。フォトストラップを製造する際に、絵柄付きシート１２０と絵柄付きシート１２０の写真に関連する情報の入ったＮＦＣタグ２００を事前に貼り付けておくことで、絵柄付きシート１２０とＮＦＣタグ２００の取り違いが発生せず、好適である。
【００２６】
図１（ｃ）は、本考案のシステムブロック図である。ＮＦＣタグ付き物品１は、物品１００とＮＦＣタグ２００から構成されている。携帯端末３００は、ＮＦＣ通信部３１０、制御部３２０、メモリ３３０、表示部３４０から構成されている。携帯端末３００はスマートフォン、携帯電話でもよい。
ＮＦＣ通信部３１０は、ＮＦＣタグ２００と無線通信し、ＮＦＣタグ２００内に書き込まれた情報を取得したり、ＮＦＣタグ２００内に情報を書き込んだり、ＮＦＣタグ２００内の情報を修正したりする部分である。
制御部３２０は、携帯端末３００全体を制御する部分であり、ＮＦＣ通信部３１０の制御、表示部３４０の制御等をメモリ３３０に記憶されたプログラム等によって行う。
メモリ３３０は、データの記憶部分であり、携帯端末３００の基本ＯＳやアプリケーション、一時的なデータ等を記憶する。ＮＦＣタグを読み込むアプリケーションもインストールされている。
表示部３４０は、携帯端末３００内の情報等を表示する部分であり、文字、アイコン、画像等を表示することが出来る。携帯端末３００が携帯電話、スマートフォンの場合には、着信表示、メール等も表示する。
【００２７】
具体的な動作としては、制御部３２０が、ＮＦＣ通信部３１０に対して通信開始、ＮＦＣタグ内の情報取得を指示し、ＮＦＣ通信部３１０は、制御部３２０に対してＮＦＣタグ内の情報を通知する。制御部３２０は、メモリ３３０に情報を記憶する。制御部３２０は、メモリ３３０の情報の表示を表示部３４０に指示する。一連の動作によって、ＮＦＣタグ２００内の情報が、携帯端末３００の表示部３４０に表示される。
【００２８】
このように、本考案によって、情報が物品に組み込まれていることを明示することなく情報を取得できるので、秘匿性と情報取得容易性を同時に実現できる。
また、物品の外観、デザインに影響しない形を採ることが出来るので、物品の美観の品位を維持することが出来るという優れた効果を発揮するものである。
また、情報取得にネットワークを介さないため、インターネット等の通じない地域でも情報を取得することが出来る。
【００２９】
ＮＦＣタグ付き物品１の具体的な実施形態について、図２に沿って説明する。図２（ａ）は、バッグにＮＦＣタグ２００を組み込んだ例を示す。図２（ｂ）は、首輪にＮＦＣタグ２００を組み込んだ例を示す。図２（ｃ）は、記念品にＮＦＣタグ２００を組み込んだ例を示す。図２（ｄ）は、写真立てにＮＦＣタグ２００を組み込んだ例を示す。
【００３０】
ＮＦＣタグ付き物品１の例として、徘徊者、迷子、迷い犬、迷い猫への対応が考えられる。徘徊する可能性のある人や迷子になる可能性のある人にＮＦＣタグ付き物品１を装着させる。ＮＦＣタグ付き物品１の物品１００としては、隠れたネームプレート、リストバンド、ピンバッヂ、ブローチ、神社のお守り等が考え得る。犬猫等の動物の場合には、図２（ｂ）に示す様に、首輪にＮＦＣタグ２００を組み込みＮＦＣタグ付き物品１とする。ＮＦＣタグ２００は小さく薄いので、首輪のバンドの間に挿入することが容易である。ＮＦＣタグ２００内の情報として、氏名、住所、電話番号、年齢、血液型、既往症、特徴等を入れておく。ＮＦＣタグ付き物品１の装着者が、迷子状態と考えられる場合に、ＮＦＣタグ付き物品１のＮＦＣタグ２００の内容を携帯端末３００で表示することで、迷子状態をスムーズに解消することが出来る。
特に、海水浴場、プール、大規模遊園地等では、迷子の幼児の身元確認方法として有効である。
また、ＮＦＣタグ２００内の情報として、個人の特定を回避するために、電話番号をその地域の警察の番号、住所を町名のみとしてもよい。
【００３１】
また、他の例として、忘れ物の身元確認が考えられる。ＮＦＣタグ付き物品１の物品１００としては、携帯電話、傘、かばん、バッグ等、持ち回る物品全般が対象となる。
例えば、図２（ａ）に示す様に、持ち物であるバッグにＮＦＣタグ２００を組み込みＮＦＣタグ付き物品１とする。バッグの場合には、バッグの内側にＮＦＣタグ２００を貼り付けるとよい。ＮＦＣタグ２００内の情報は、氏名、住所、電話番号、年齢等である。
【００３２】
また、他の例として、観光地、地域に関連した情報をＮＦＣタグ２００に書き込むことが考えられる。観光地案内、観光ガイド、ＵＲＬ（ホームページアドレス）によって示すホテル、旅行業者等の道案内、地図等をいれることで観光地での実用的な情報を提示することが出来る。また、観光地の簡単な説明及び観光地の石碑、灯篭、鳥居、仏像等の建立、由来の説明をＮＦＣタグ２００内の情報とすることで、使用者は、観光地への関心をより高めることが出来る。
【００３３】
ＮＦＣタグ２００を埋め込む物品１００としては、陶器、漆で製作したガイド札等とすることで、物品１００としても価値も高く、ＮＦＣタグ２００によってさらに情報が得られるアイテムとすることが出来る。
【００３４】
また、おみやげとしてピンバッヂ、ブローチ、陶器、漆で製作した豆皿等を物品１００とし、写真とＮＦＣタグ２００を付加することもできる。ＮＦＣタグ２００内の情報として観光案内の説明を入れる。さらに、購入者の観光日時を携帯端末３００を用いてその場にＮＦＣタグ２００内の情報に書き込むことによって、ＮＦＣタグ付き物品１の価値を上げることもできる。また、同様の手法は、有名人（芸能人、相撲、プロ野球選手等）のグッズとしても利用できる。また、記念品としても利用できる。
【００３５】
また、ＮＦＣタグ２００内の情報として、結婚式の愛の言葉、思い出、メッセージを入力し、「愛の言葉の交換」として、結婚式場で利用しても良い。また、このようにプライベートな情報を含む場合には、ＮＦＣタグ２００内の情報を暗号化し、携帯端末３００で情報を取得する際に、パスワードを要求するようにしても良い。そうすることで、より秘匿性が高まり、より個人的な情報についても利用することが出来る。
【００３６】
また、物品１００として、記念写真、遺影、お墓、位牌、３Ｄ手形等としても良い。図２（ｄ）に示す様に、記念写真を写真立てに入れ、ＮＦＣタグ２００を写真の裏面に配置する。ＮＦＣタグ２００内の情報としては、記念写真の思い出等が考えられる。遺影、お墓、位牌の場合には、ＮＦＣタグ２００内の情報として、故人の経歴、家系図等が考えられる。３Ｄ手形とは、図２（ｃ）に示す様に、手形を立体的に造形したものである。ＮＦＣタグ２００内の情報として手形作成時の思い出等を書き込むことで、３Ｄ手形の価値を高めることが出来る。
【００３７】
また、物品１００として、ブランド品（バッグ、かばん、財布）としても良い。ＮＦＣタグ２００にはＩＣチップが封入されており、夫々のチップ内には製造過程で世界に一つしか無いＵＩＤ（１４桁の識別番号，シリアルナンバー）が入力され、このＵＩＤは絶対に消すことが出来ないことから、これを製造元等で管理することで、ブランド品の偽造防止にも資することとなる。ＮＦＣタグ２００の具体的な組み込み態様については、ブランド品の性質上、通常わからない位置にＮＦＣタグ２００を埋め込む態様が好適である。
なお、上記ＵＩＤと併せて、ＮＦＣタグ２００内の情報として、製品名、製造番号、製造年月日、購入年月日、販売先、購入者の氏名・住所等を入力することで、本物・偽物の区別が容易となり、且つ、製品保証（期間）、ネームプレートとして利用することが可能となる。
【００３８】
他にも物品１００として種々の物が考えられ、特に限定はない。上記以外の物品１００の具体例として、キーホルダー、土産品、キーケース、ランドセル、革製品、ネクタイ、制服、布製品、番号札、バッヂ、身飾品、自転車、自動車、自動車の部品、絵画、彫刻、陶器、漆品、芸術品、工芸品、陶芸品、額縁、手形、トロフィー、記念プレート、電化製品、チョコレート、飲食物、飲食物の包装、教材、展示施設における展示品のガイド板、観光案内板など、本考案を採用可能な多くの物品１００が挙げられる。
【実施例２】
【００３９】
他の実施例について図２を用いて説明する。実施例１と同様の部分は省略する。実施例１において、物品１００にＮＦＣタグ２００が組み込まれていることが外観からは確認できないことから、秘匿性が高いことを説明した。しかし、用途によっては、あえて、ＮＦＣタグ２００が組み込まれていることを明示したほうが良い場合もある。例えば、徘徊者や迷子を誰かが発見した場合や、宣伝のためのグッズを配布する場合等である。そこで、ＮＦＣタグ２００が組み込まれていることを明示し、さらに、ＮＦＣタグ２００の情報の目的も明示する考案が求められていた。
【００４０】
犬猫用の首輪の例に沿って説明する。図２（ｂ）に示す様に、犬用首輪にＮＦＣタグ２００を組み込むことで、迷い犬になってしまっても、携帯端末３００でＮＦＣタグ２００の情報を表示することで、飼い主が分かり、便利である。しかしながら、ＮＦＣタグ２００は埋め込まれ、外観から見えないことから、迷い犬を見つけてもＮＦＣタグ２００の存在に気が付かないことが考えられる。そこで、物品１００である首輪にマーク４００を配置する。マーク４００を外観に貼り付ける等し、容易に確認できるようにする。マーク４００は、ＮＦＣタグ２００が埋め込まれていることを示すロゴ、簡単な名称を示し、見た人が容易にＮＦＣタグの存在を想起できるものが好ましい。マーク４００のデザインを全国統一とすることで、ＮＦＣタグ付き物品１の有効利用を図ることが出来る。
【００４１】
また、広告、宣伝用グッズとして、店舗等において販売する商品や企業等が無償配布するノベルティグッズ等にＮＦＣタグ２００を組み込むことも考え得る。広告、宣伝用グッズの具体例として、フォトストラップに製品の写真を入れ、内部に製品の情報を入れたＮＦＣタグ２００を組み込み、フォトストラップの裏面に、ＮＦＣタグがあることを示すＮマークを入れることで、広告、宣伝効果を高めることが出来る。ＮＦＣタグ２００の具体的な組み込み態様については、内蔵や貼り付けなど商品形態に応じて適宜決定すればよい。このとき、ＮＦＣタグ２００の情報として商品や店舗・企業のＵＲＬを書き込むことで、携帯端末３００で当該情報を読み込むと同時に店舗・企業や商品ＰＲのホームページに自動的に繋がる態様も可能である。商品入手者は、商品や店舗・企業の広告、宣伝を閲覧した後、ＮＦＣタグ２００に自らの情報（氏名や住所等）を上書きすることで、忘れ物や迷子、痴呆患者用として当該商品を利用できるため、顧客側も店舗・企業側も両方にとって得策である。
なお、店舗・企業、商品ＵＲＬをＮＦＣタグ２００に再入力することで、当該ＵＲＬを介して再び店舗・企業、商品に関する広告、宣伝情報を確認することも可能である。
【００４２】
また、ＮＦＣタグ２００の使用目的に応じて、マーク４００のデザインを変えても良い。例えば、目的に応じて色を変える。色の種類は、例えば、オレンジ、ピンク、薄緑等である。例えば、オレンジ色のマーク４００を痴呆症患者用とする。徘徊している人を発見した人は、オレンジ色のマーク４００を見ることで、ＮＦＣタグの存在を認識し、携帯端末３００によってＮＦＣタグ２００の情報を取得し、スムーズに徘徊者を保護することが出来る。オレンジ色は、厚生省の痴呆症対策推奨の色である。オレンジ色とすることで、痴呆症を想起する色として、より容易にＮＦＣタグ２００の情報を推定することが出来、好適である。
【００４３】
このように、物品１００に対してＮＦＣタグ２００、マーク４００を付加することで、ＮＦＣタグ付き物品１の利便性をさらに高めることが出来る。
【００４４】
本実施例は、ＮＦＣタグについて説明したが、無線タグ一般である他のＲＦタグでも同様に実施しても良い。
【産業上の利用可能性】
【００４５】
本考案に係るＮＦＣタグ付き物品は、物品に関連する情報をＮＦＣタグに入れ、使用者が容易に活用できる技術として、産業上の利用可能性は大きいものと思料する。
【符号の説明】
【００４６】
１      ＮＦＣタグ付き物品
１００  物品
２００  ＮＦＣタグ
３００  携帯端末
４００  マーク
１１０  台部
１２０  絵柄付きシート
１３０  透明蓋
３１０  ＮＦＣ通信部
３２０  制御部
３３０  メモリ
３４０  表示部 
【図１】
0003205249.tif 000003
【図２】
0003205249.tif 000004